(57)【要約】【課題】本発明は、円弧運動での展開・収納を特徴とする前方での身体支持具に関して、展開・収納に必要な動作を簡略化すると共に、多用な便所の室内構造に対応しつつ、収納スペースをコンパクトにまとめる事を以て、身体が必ずしも意のままにならない者にとっての用便時の難を除く事を課題とする。【解決手段】本発明は上記課題を解決するために、スライド軸（２）上の適当な点と、肘かけ（４）上の適当な点との間に、補助アーム（６）を両端ピン支持で取り付ける構造を採る。本発明の設置については、端末具（１２）を介してスライド軸（２）と平行に専用の取付軸（１）を設け、任意の位置で取付軸（１）と固定される取付具（１１）によって、便所内の側方壁面、又は、床若しくは天井から張り出させた剛体に設置する。尚、取付軸（１）とスライド軸（２）は、それぞれの軸心を以て回転し、任意の角度で固定し得るように端末具（１２）と接続する。【選択図】　　　　　図１
2004141635.tif 000002
【特許請求の範囲】
【請求項１】
円弧運動での展開・収納を特徴とする身体支持具において、肘かけの円弧運動を補助アームを用いて制約する機構を特徴とする、用便及び関連動作の際の身体支持具。
【請求項２】
請求項１記載の身体支持具において、肘かけの回転軸上にトイレットペーパーホルダーを取り付けた身体支持具。
【請求項３】
請求項１記載の身体支持具において、スライド軸に固定された捻れ止め凹、及びスライダーに固定された捻れ止め凸とを組み合わせて成る捻れ止め機構、又は前記凹凸を入れ換えた捻れ止め機構を備えた身体支持具。
【請求項４】
請求項１記載の身体支持具において、スライド軸と取付軸とがそれぞれ各自の軸心で回転し得、且つ任意の角度で固定し得るように端末具を介して連結した、肘かけ水平位置調整機構を備えた身体支持具。
【請求項５】
請求項１記載の身体支持具において、肘かけの回転軸中に回転規制機構を備えた身体支持具。
【発明の詳細な説明】
【０００１】
【発明の属する技術分野】
本発明は、便所室内で用いる可動式の身体支持具に関するものである。
【０００２】
【従来の技術】
従来、便座の左右に手摺りを設置する技術が知られている。しかし用便においては、前傾姿勢を採って適度な腹圧を与える事が望ましい。ところが、足腰の弱い高齢者などにとって、側方に設置された手摺りにつかまりながら前傾姿勢を採るのは不都合である。
【０００３】
又、前方での身体支持具については、前方が壁面である事を前提としたり、単純円弧運動で動くため広い収納空間を要求したり（実登３０７３５２１）、展開・収納する際に両腕を用いて腰をひねる動作を必要とする（実登３０８１６１５）ものであった。
【０００４】
【発明が解決しようとする課題】
本発明は、円弧運動での展開・収納を特徴とする前方での身体支持具に関して、展開・収納に必要な動作を簡略化すると共に、多用な便所の室内構造に対応しつつ、収納スペースをコンパクトにまとめる事を以て、身体が必ずしも意のままにならない者にとっての用便時の難を除く事を課題とする。
【０００５】
【課題を解決するための手段】
本発明は上記課題を解決するために、スライド軸（２）上の適当な点と、肘かけ（４）上の適当な点との間に、補助アーム（６）を両端ピン支持で取り付ける構造を採る。
【０００６】
本発明の設置については、端末具（１２）を介してスライド軸（２）と平行に専用の取付軸（１）を設け、任意の位置で取付軸（１）と固定される取付具（１１）によって、便所内の側方壁面、又は、床若しくは天井から張り出させた剛体に設置する。尚、取付軸（１）とスライド軸（２）は、それぞれの軸心を以て回転し、任意の角度で固定し得るように端末具（１２）と接続する。
【０００７】
【発明の実施の形態】
＜実施例１＞
【図１】のように本発明支持具を、取付軸（１）上を摺動して任意の位置で取付軸（１）と固定される取付具（１１）によって、便所内の側方壁面に設置する。更に、端末具（１２）を介して取付軸（１）と平行にスライド軸（２）を有し、スライド軸（２）に沿って摺動するスライダー（３）に回転軸（３１）を設ける。この回転軸（３１）に肘かけ（４）をピン支持で取り付け、回転軸（３１）上にはトイレットペーパーホルダー（７）を備え付け、肘かけ（４）の他端にはキャスター（５１）のついた可動足（５）を立てる。その上で、スライダー（３）よりも便座から遠い側にあるスライド軸（２）上の適当な点と、肘かけ（４）上の適当な点との間に、補助アーム（６）を両端ピン支持で取り付ける。又、スライダー（３）の摺動範囲の両端となるスライド軸（２）上の適当な位置に、スライダーストッパー（２１）を一つづつ設け、便座に近い側のスライダーストッパー（２１）に筒状をした捻れ止め凹（２２）を取り付け、この捻れ止め凹（２２）の穴を通した捻れ止め凸（２３）の一端をスライダーに固定する。
【０００８】
＜実施例２＞　実施例１のままでは、上から体重を掛かる場合には良いが、不意によろめいた際など横から荷重が掛かると、肘かけ（４）は収納方向に回転してしまい、支持具として物足りない。スライダー（３）の摺動を制限する摺動規制
機構を備える事によって安全性が高まる。
【図１０】に沿って説明すると、磁性体（８２）と摩擦体（８４）をそれぞれ両端に取り付けた摺動規制具（８３）を電磁石（８１）と組み合わせる。摺動規制具（８３）は、摩擦体（８４）をスライド軸（２）に当てる向きで、弾性体（８５）を介して空洞の回転軸（３１）に通し、電磁石（８１）は空洞の回転軸（３１）に固定する。これらを摺動規制部
キャップ（８６）で覆う。更に、
【図９】のように肘かけ（４）上の操作しやすい位置にスイッチ（８７）を設け、電磁石（８１）と配線してこれを制御する機構とする。
【０００９】
実施例２の機構を更に説明すると、電磁石（８１）がオフの時は、弾性体（８５）によって摺動規制具（８３）がスライド軸（２）から遠ざかる方向に押され、スライダー（３）は摺動可能な状態となり、電磁石（８１）がオンの時は、磁性体（８２）が電磁石（８１）に吸着する事によって摺動規制具（８３）がスライド軸（２）に近づく方向に動き、摩擦体（８４）がスライド軸（２）に押しつけられてスライダー（３）の摺動を規制する。尚、電磁石（８１）は常時オンとし、スイッチ（８７）が作動している間のみオフとする方が安全上、望ましい。
【００１０】
＜実施例３＞　摺動規制機構に依るほか、回転を直接制限する事によっても実施
例２と同様の効果を期待できる。この回転規制機構は
【図１１】のように、スライダー（３）に固定された回転規制体甲（９１）と、肘かけ（４）に固定された回転規制体乙（９２）とを対面する向きに設け、平時は回転規制体甲（９１）と回転規制体乙（９２）とが噛み合わないように、スライダー（３）と肘かけ（４）との間に弾性体（９４）を挟む機構とする。
【００１１】
＜実施例４＞　実施例１、実施例２又は実施例３において、
【図１２】のように肘かけ（４）の断面形状を丁字状に加工する。指が懸かり、滑り止めとなるので安全性が高まる。
【００１２】
＜実施例５＞　実施例１、実施例２又は実施例３において、
【図１３】のように補助アーム（６）を円弧状、又はＳ字状にする。こうすると、本支持具の可動部で誤って指などを挟んでしまう事故を防ぐ事ができるので安全性が高まる。
【００１３】
【発明の効果】
本発明では、肘かけ（４）を押す（又は引く）だけで、肘かけ（４）が回転軸（３１）を中心に回転移動すると同時に、補助アーム（６）が支障となる事によってスライダー（３）が手前に（又は前方に）押し出されるため、肘かけの収納（又は展開）に必要な動作が単純化されると共に、肘かけ装置全体の収納空間を小さくまとめる事ができる。具体的に前者からは、肘かけの収納・展開を片手で単純に行える事から、足腰などに対する無理な負担が軽減され、高齢者などの副次的な事故を抑える効果が期待できる。後者については、狭い便所にも設置できる事を意味する。
【００１４】
肘かけ（４）を押すだけでスライダー（３）が手前に押し出されるという前記の構造より、スライダーに固定されているトイレットペーパーホルダー（７）も必然的に手前に押し出されるため、手許に近づいて利用しやすくなる。
【００１５】
肘かけ（４）の一端が依拠するスライド軸（２）と、取付具（１１）が固定される取付軸（１）とを分離し、それらを端末具（１２）が両端ピン支持で連結する事によって、取付具（１１）から身体支持具展開時の可動足（５）までの水平距離を調整する事ができる。これにより、左右壁面間距離の各戸での違いを個別的に吸収する事が可能となる。
【００１６】
又、スライド軸（２）はそれに沿ってスライダーが摺動するため、スライド軸中央部にこれを妨害する機構を設ける事はできない。従って、支持具全体をスライド軸によって設置しようとすると、取付具はスライド軸の両端に設けねばならず、加えて設置の際に便所壁面の間柱の位置を考慮するとスライド軸は更に長いものとなる。本発明では、専用の取付軸（１）を備えたため任意の位置に取付具（１１）を固定する事ができ、スライド軸（２）の長さひいては支持具全体の長さを抑える事ができる。
【００１７】
実施例３のような回転規制機構を設けると、一定以上の荷重を掛かて肘かけ（４）につかまるだけで、肘かけ（４）が僅かに沈み込み、回転規制体（９１、９２）が噛み合って肘かけ（４）の回転を止めるため、利用者の突然のふらつき等にも無理なく対応する事が可能となる。
【００１８】
実施例５のように補助アーム（６）を円弧状、又はＳ字状にすると、本支持具の可動部で誤って指などを挟む事故を防ぐ事ができる。そもそも指を挟む危険があるのは肘かけ（４）を閉じる収納時であるが、具体的には鉛直方向に近接した肘かけ（４）と補助アーム（６）、又は補助アーム（６）とスライド軸（２）とによって挟む可能性である。本実施例は、本発明が肘かけ（４）に手や腕を置く事を想定している点に配慮して、可能性の高い前者の危険防止を主眼としている。
【図１３】のように、補助アーム（６）が直線状の場合、収納の過程において肘かけ（４）と補助アーム（６）とがちょうど鋏の刃のように迫ってくる事が判る。これは、肘かけ（４）を深くつかんでいるときや、腕を置いて指を垂らしているときなどに危険である。一方、補助アーム（６）が曲線状の場合、補助アーム（６）の全部、又は一部が壁寄りのポケットを形成しているため、収納が完了してもなお空間が残り、指を挟む危険を排除している。
【図面の簡単な説明】
【図１】展開時の本発明支持具の斜視図
【図２】収納時の本発明支持具の斜視図
【図３】補助アーム取付例
【図４】展開時の本発明支持具の正面図
【図５】展開時の本発明支持具の平面図
【図６】収納中の本発明支持具の平面図
【図７】収納時の本発明支持具の平面図
【図８】肘かけ水平位置調整後の本発明支持具の正面図
【図９】摺動規制機構を備えた本発明支持具の正面図
【図１０】摺動規制部の断面図
【図１１】回転規制部の断面図
【図１２】肘かけ実施例の断面図
【図１３】補助アーム実施例の平面図
【符号の説明】
１　　取付軸　　　　　　　　　　　　　６　　補助アーム
１１　取付具　　　　　　　　　　　　　７　　トイレットペーパーホルダー
１２　端末具　　　　　　　　　　　　　８１　電磁石
２　　スライド軸　　　　　　　　　　　８２　磁性体
２１　スライダーストッパー　　　　　　８３　摺動規制具
２２　捻れ止め凹　　　　　　　　　　　８４　摩擦体
２３　捻れ止め凸　　　　　　　　　　　８５　弾性体
３　　スライダー　　　　　　　　　　　８６　摺動規制部キャップ
３１　回転軸　　　　　　　　　　　　　８７　スイッチ
４　　肘かけ　　　　　　　　　　　　　９１　回転規制体甲
４１　緩衝体　　　　　　　　　　　　　９２　回転規制体乙
５　　可動足　　　　　　　　　　　　　９３　回転材
５１　キャスター　　　　　　　　　　　９４　弾性体
【図１】
2004141635.tif 000003
【図２】
2004141635.tif 000004
【図３】
2004141635.tif 000005
【図４】
2004141635.tif 000006
【図５】
2004141635.tif 000007
【図６】
2004141635.tif 000008
【図７】
2004141635.tif 000009
【図８】
2004141635.tif 000010
【図９】
2004141635.tif 000011
【図１０】
2004141635.tif 000012
【図１１】
2004141635.tif 000013
【図１２】
2004141635.tif 000014
【図１３】
2004141635.tif 000015